(57)【特許請求の範囲】
【請求項１】
複数のタッチセンサと、
筐体の振動を検出する振動検出手段と、
前記複数のタッチセンサの出力と前記振動検出手段の出力とに基づいて、振動を伴うタッチを有効な入力として取り扱う制御手段とを備え、
前記複数のタッチセンサは、前記筐体の上下左右の４側辺のうち上側辺において「上」操作用に少なくとも２個配置され、下側辺において「下」操作用に少なくとも２個配置され、左側辺において「左」操作用に少なくとも２個配置され、右側辺において「右」操作用に少なくとも２個配置され、
前記制御手段は、前記複数のタッチセンサのうちのいずれかの出力の遷移が前記振動検出手段の振動検出出力を伴って発生した場合に、当該出力の遷移を発生したタッチセンサへのタッチを有効な入力とすることにより、当該タッチセンサがどの側辺に属するかに基づいて、当該操作が「上」操作、「下」操作、「左」操作、「右」操作のいずれであるかの判定を行う
携帯型の電子機器。
【請求項２】
前記制御手段は、前記筐体の複数の側辺で同時に、前記複数のタッチセンサの出力の遷移が前記振動検出手段の振動検出出力を伴って発生したとき、当該複数の側辺の組み合わせに基づいて、実行すべき処理を検索し、該当する処理を実行する請求項１に記載の電子機器。
【請求項３】
前記振動検出手段は加速度センサであり、前記制御手段は、前記加速度センサの出力に基づいて前記筐体が落下状態にあるかどうかを監視し、落下状態であることが検出されたとき、入力を抑止し、落下終了が検出された時点からさらに所定時間待って入力の抑止を解除する請求項１または２に記載の電子機器。
【請求項４】
複数のタッチセンサと、前記筐体の振動を検出する振動検出手段とを備えた携帯型の電子機器における入力処理方法であって、
前記複数のタッチセンサは、前記筐体の上下左右の４側辺のうち上側辺において「上」操作用に少なくとも２個配置され、下側辺において「下」操作用に少なくとも２個配置され、左側辺において「左」操作用に少なくとも２個配置され、右側辺において「右」操作用に少なくとも２個配置され、
前記複数のタッチセンサのうちのいずれかの出力の遷移が前記振動検出手段の振動検出出力を伴って発生した場合に、当該出力の遷移を発生したタッチセンサへのタッチを有効な入力とすることにより、当該タッチセンサがどの側辺に属するかに基づいて、当該操作が「上」操作、「下」操作、「左」操作、「右」操作のいずれであるかの判定を行う
入力処理方法。
【請求項５】
複数のタッチセンサと、
筐体の振動を検出する振動検出手段と、
制御手段とを備え、
前記複数のタッチセンサは、前記筐体の上下左右の４側辺のうち上側辺において「上」操作用に少なくとも２個配置され、下側辺において「下」操作用に少なくとも２個配置され、左側辺において「左」操作用に少なくとも２個配置され、右側辺において「右」操作用に少なくとも２個配置され、
前記制御手段は、前記複数のタッチセンサのうちのいずれかの出力の遷移が前記振動検出手段の振動検出出力を伴って発生した場合に、当該出力の遷移を発生したタッチセンサへのタッチを有効な入力とすることにより、当該タッチセンサがどの側辺に属するかに基づいて、当該操作が「上」操作、「下」操作、「左」操作、「右」操作のいずれであるかの判定を行う
携帯型の入力装置。
【請求項６】
前記制御手段は、前記筐体の複数の側辺で同時に、前記複数のタッチセンサの出力の遷移が前記振動検出手段の振動検出出力を伴って発生したとき、当該複数の側辺の組み合わせに基づいて、実行すべき処理を検索し、該当する処理を実行する請求項５に記載の入力装置。
【請求項７】
前記振動検出手段は加速度センサであり、前記制御手段は、前記加速度センサの出力に基づいて前記筐体が落下状態にあるかどうかを監視し、落下状態であることが検出されたとき、入力を抑止し、落下終了が検出された時点からさらに所定時間待って入力の抑止を解除する請求項５または６に記載の入力装置。
【発明の詳細な説明】
【技術分野】
【０００１】
本発明は、タッチセンサを用いた入力処理方法および入力装置およびこれを用いた電子機器に関する。
【背景技術】
【０００２】
電子機器の入力装置としては、キーボードやマウス、タッチパッド等が一般的であるが、近年、携帯電話端末などには表示画面（スクリーン）上のタッチ位置を検出するタッチセンサを用いてタッチ操作を行うことができるものが市販されている。
【０００３】
また、携帯電話機の筐体側面にタッチセンサを設け、タッチセンサからのタッチ信号が存続するかぎりバックライトを点灯させ続ける技術が提案されている（特許文献１参照）。
【０００４】
加速度センサを用いることにより、筐体が叩かれたことを認識して入力とするタップ操作も提案されている（特許文献２参照）。これは、タップ操作の振動信号と加速度センサによる姿勢変化信号との組み合わせで機能選択コマンドを作成し、携帯電話機に実装された各種の機能を自由に呼び出せるようにするものである。
【先行技術文献】
【特許文献】
【０００５】
【特許文献１】特開２００７−２３５３２１号公報
【特許文献２】特開２００８−１７６６４１号公報
【発明の概要】
【発明が解決しようとする課題】
【０００６】
上記タップ操作を行う際、加速度の変化によりタップ操作が行われたことは認識されるが、筐体の何処をタップされたかは分からない。そのため、直感的な操作が実現できないという問題がある。
【０００７】
タッチセンサによればタッチ位置を検出することはできるが、筐体を持った際に触れる箇所（例えば筐体の周縁）にタッチセンサを設置すると筐体を持っただけでタッチされてしまい誤操作が発生する。そのため、タッチセンサを操作に用いる場合、誤操作を防ぐためにタッチセンサ設置箇所の制約がある。すなわち、筐体の左右両側面や筐体裏面にタッチセンサを配置できないという問題がある。なお、上記特許文献１には筐体の側面にタッチセンサを配置しているが、その目的はユーザが筐体を把持していることを検出するためであって、入力操作のためのものではない。
【０００８】
本発明はこのような背景においてなされたものであり、誤操作のおそれを軽減しつつ、直感的な入力操作を可能とすることを企図する。
【課題を解決するための手段】
【０００９】
本発明による電子機器は、複数のタッチセンサと、筐体の振動を検出する振動検出手段と、前記複数のタッチセンサの出力と前記振動検出手段の出力とに基づいて、振動を伴うタッチを有効な入力として取り扱う制御手段とを備え、前記複数のタッチセンサは、前記筐体の上下左右の４側辺のうち上側辺において「上」操作用に少なくとも２個配置され、下側辺において「下」操作用に少なくとも２個配置され、左側辺において「左」操作用に少なくとも２個配置され、右側辺において「右」操作用に少なくとも２個配置され、前記制御手段は、前記複数のタッチセンサのうちのいずれかの出力の遷移が前記振動検出手段の振動検出出力を伴って発生した場合に、当該出力の遷移を発生したタッチセンサへのタッチを有効な入力とすることにより、当該タッチセンサがどの側辺に属するかに基づいて、当該操作が「上」操作、「下」操作、「左」操作、「右」操作のいずれであるかの判定を行う携帯型の電子機器である。
【００１０】
これにより、振動の無いタッチは無効とされる。すなわち、本発明ではユーザによる入力としての意思のあるタッチには所定の振動が伴うことを想定し、また、要求している。したがって、ユーザが単に電子機器を把持した際にタッチが生じても、そのようなタッチは有効な入力とはならない。その結果、誤操作が防止される。
【００１２】
本発明による入力処理方法は、複数のタッチセンサと、前記筐体の振動を検出する振動検出手段とを備えた携帯型の電子機器における入力処理方法であって、前記複数のタッチセンサは、前記筐体の上側辺において「上」操作用に少なくとも２個配置され、下側辺において「下」操作用に少なくとも２個配置され、左側辺において「左」操作用に少なくとも２個配置され、右側辺において「右」操作用に少なくとも２個配置され、前記複数のタッチセンサのうちのいずれかの出力の遷移が前記振動検出手段の振動検出出力を伴って発生した場合に、当該出力の遷移を発生したタッチセンサへのタッチを有効な入力とすることにより、当該タッチセンサがどの側辺に属するかに基づいて、当該操作が「上」操作、「下」操作、「左」操作、「右」操作のいずれであるかの判定を行うものである。
【００１３】
本発明の入力装置は、複数のタッチセンサと、筐体の振動を検出する振動検出手段と、制御手段とを備え、前記複数のタッチセンサは、前記筐体の上側辺において「上」操作用に少なくとも２個配置され、下側辺において「下」操作用に少なくとも２個配置され、左側辺において「左」操作用に少なくとも２個配置され、右側辺において「右」操作用に少なくとも２個配置され、前記制御手段は、前記複数のタッチセンサのうちのいずれかの出力の遷移が前記振動検出手段の振動検出出力を伴って発生した場合に、当該出力の遷移を発生したタッチセンサへのタッチを有効な入力とすることにより、当該タッチセンサがどの側辺に属するかに基づいて、当該操作が「上」操作、「下」操作、「左」操作、「右」操作のいずれであるかの判定を行う携帯型の入力装置である。
【発明の効果】
【００１４】
本発明によれば、電子機器の筐体に対するタッチセンサの配置位置によらず、誤操作の可能性を低減することができる。したがって、タッチセンサの配置の自由度が向上し、タッチ操作の利用範囲を拡大することができる。その結果、誤操作の可能性が低く、機器の持ち方に制約の少ない、直感的なタッチ入力が可能となる。
【図面の簡単な説明】
【００１５】
【図１】本発明の電子機器の一例として携帯機器の概略の外観構成を示した図である。
【図２】図１に示した携帯機器の概略のハードウェア構成を示した図である。
【図３】図１に示した携帯機器を横長にしてその左側の端部側辺を左手で把持した様子を示す図である。
【図４】図３の状態から右手の人差し指で上辺をタッチした状態を示す図である。
【図５】図１に示した携帯機器と対比する携帯機器の説明図である。
【図６】図３の状態から右手の人差し指で上辺をタッチした状態を示す図である。
【図７】本発明の実施の形態における携帯機器の基本的な入力処理の流れを示すフローチャートである。
【図８】本発明の実施の形態における複数同時タップ時の処理対応テーブルの例を示す図である。
【図９】本発明の実施の形態において何らかの要因で携帯機器が落下したときに誤操作の発生を防ぐ入力処理のフローチャートである。
【図１０】本発明の実施の形態における携帯機器の動作を表す状態遷移図である。
【発明を実施するための形態】
【００１６】
以下、本発明の好適な実施の形態について図面を参照しながら説明する。
【００１７】
図１は、本発明の電子機器の一例として携帯機器１００の概略の外観構成を示している。ここでは携帯機器１００として携帯電話端末を例として挙げるが、本発明は電話端末に限るものではなく、携帯情報端末、ゲーム機、電子辞書、小型ＰＣ、小型ナビゲーション装置、等、任意の携帯型の電子機器に適用することが可能である。
【００１８】
携帯機器１００は、筐体の表面主要部にＬＣＤ，有機ＥＬ等の表示デバイスが配置され、その表示画面１２０が外部表面に露出している。表示画面の下部には操作部１０５が配置されている。この操作部１０５は、中央の十字キー、およびその周囲に配置されたメールキー、通話キー、終話キー、電話帳キー等の各種キーを含む。この携帯機器１００はテンキーを表示画面上にソフトウェアキーとして表示し、表示画面に重ねて配置されたタッチパネルで操作可能なものを想定している。
【００１９】
あるいは、この上部筐体の背面に重なった状態で下部筐体が配置され、直線状にスライドして、または回転してテンキー部（図示せず）を露出する構成であってもよい。
【００２０】
筐体の周縁（側面全周）には、複数のタッチセンサ１１４ａ〜１１４ｌが配置されている。（図では分かりやすさのために、これらのタッチセンサを筐体周縁から突出させて誇張して示してある。）この例では、筐体の上辺に２個、下辺に２個、左辺に４個、右辺に４個の計１２個のタッチセンサが配置されている。各タッチセンサは独立にタッチ検出が可能である。これら１２個のタッチセンサにより側面３６０°をカバーしていることになる。タッチセンサの個数および配置は必ずしも図示のとおりである必要はないが、各辺に少なくとも２個のタッチセンサを配置することが望ましい。隣接するタッチセンサの間隙は、一般的なサイズの指１本より小さいものとする。
【００２１】
また、この携帯機器１００の内部には振動検出手段の一例として加速度センサが内蔵されている。
【００２２】
図２は、本実施の形態の携帯機器１００の概略のハードウェア構成を示している。
【００２３】
携帯機器１００は、バス１１５で相互に接続された、制御部１０１、通信部１０３、表示部１０４、操作部１０５、記憶部１０６、音声処理部１１０、加速度センサ１１３、およびタッチセンサ１１４を備えている。音声処理部１１０にはスピーカ１１１およびマイク１１２が接続されている。
【００２４】
制御部１０１は、ＣＰＵ等を含み、携帯機器１００の各部を制御する制御手段および各種のデータ処理手段を構成する。通信部１０３は、ＲＦ部、変復調回路等を含み、アンテナ１０２を介して基地局との間で、通話およびメールやＷＥＢデータ等のための無線通信を行う。
【００２５】
表示部１０４は、図１の表示画面１２０上に情報を表示する表示デバイスおよびその制御回路である。
【００２６】
操作部１０５は、図１の操作部１０５に相当し、各種のキーを有し、ユーザによる指示やデータの入力を受け付ける。
【００２７】
記憶部１０６は、ＲＯＭ，ＲＡＭ等を含み、ＣＰＵが実行するＯＳや各種アプリケーション等のプログラムやデータを記憶する。
【００２８】
音声処理部１１０は、音声のエンコーダ、デコーダ、ＤＡ変換器、ＡＤ変換器等を含み、スピーカ１１１（イヤホン含む）に対する音声出力およびマイクからの音声入力を行う。
【００２９】
加速度センサ１１３は、本実施の形態では、互いに直交する３軸方向の加速度を検出するデバイスである。このデバイスは、筐体１０に内蔵され、この出力に基づいて携帯機器の振動や傾きを検出することができる。
【００３０】
タッチセンサ１１４は、図１に示した機器の筐体周囲に配置したタッチセンサ１１４ａ〜１１４ｌに相当する。その他、表示画面１２０上に重ねて配置されたタッチパネルも含みうる。但し、このタッチパネルは本発明において必須の要素ではない。
【００３１】
その他、図示しないが、携帯機器１００は、電源部、発光部等を備えている。また、音楽再生部、カメラ部、近距離無線通信部、非接触ＩＣカード機能部、ＧＰＳ部、外部メモリインタフェース、等をさらに備えてもよい。
【００３２】
以下、本実施の形態の携帯機器１００の特徴的な動作について説明する。
【００３３】
この特徴的な動作におけるユーザの主要な操作には次の二つがある。
【００３４】
（１）タップ操作
タップ操作は、ユーザにより筐体が叩かれたことによる筐体の振動を検出するものであり、本実施の形態では加速度センサ１１３を用いてその検出を行う。制御部１０１は常に加速度センサ１１３の出力を監視しており、その出力の特定のパターンを入力として予め定めておく。一般的には、加速度センサ１１３の出力が急激に変化するパターンを用いたタップ検出が行われる。すなわち、加速度センサ出力値の一瞬の急激な変化に基づいて筐体が一回叩かれたことを認識する。
【００３５】
その他、加速度センサ１１３が重力加速度を検出することを利用し、筐体の傾きを推測することもできる。
【００３６】
（２）タッチ操作
タッチ操作は、ユーザが筐体に接触したことを検出するものであり、本実施の形態ではタッチセンサ１１４を用いてその検出を行う。タッチセンサはユーザの指等が触れたかどうかを判定するセンサであり、触れられていればＯＮ信号を出力し続け、触れられていない間はＯＦＦ信号を出力し続ける。制御部１０１は、常にタッチセンサ１１４からの出力を監視して、その出力に基づいて機器を制御する。タッチセンサからの出力はタッチセンサに触れるか触れないかだけなので、あたかもキーがあるような入力インタフェースが実現される。
【００３７】
本発明ではこのタップ操作の検出出力を、タッチセンサの出力と組み合わせて判定することにより、操作の誤認識の可能性を低減するものである。すなわち、複数のタッチセンサのいずれかの出力の遷移と振動検出手段の振動検出出力とに基づいて、いずれかのタッチセンサの検出出力を有効な入力信号として利用する。
【００３８】
図３は、携帯機器１００を横長にしてその左側の端部側辺を左手で把持した様子を示している。ユーザの指が接触しているタッチセンサの出力がＯＮとなっている。筐体の周囲の対応する位置に１２個のタッチセンサの出力波形を示している。タッチセンサの出力はＯＮ（タッチされている）、ＯＦＦ（タッチされていない）の２種類のみである。出力波形の縦軸は出力の大きさを示し、横軸は時間を示している。図３では筐体を左手で持っている状態なので、タッチセンサの出力に変化は無く、左手が触れているタッチセンサはＯＮ、何も触れていないタッチセンサはＯＦＦを出力し続けていることがわかる。
【００３９】
以下、このように横長に把持した携帯機器１００については、その筐体の周縁の長辺を上辺および下辺と呼び、短辺を左辺および右辺と呼ぶ。
【００４０】
図３の状態から右手の人差し指で上辺をタッチした状態を、その各タッチセンサの出力の波形とともに図４に示す。
【００４１】
図４の状態では、上辺の右から２番目のタッチセンサ１１４ｅがある箇所をタップした例である。タップ操作は筐体内部にある加速度センサ１１３で検知する。タップした際に触れた部分のタッチセンサは手で触れられるためＯＦＦからＯＮに遷移する。そのため、図４上部に示したように、タップされた箇所のタッチセンサ１１４ｅだけがタップ振動と同時にＯＦＦからＯＮへ遷移することがわかる。したがって、タップと同時に「ＯＦＦからＯＮ」になったタッチのみを真の入力とするという法則を利用することで筐体の何処がタップされたかを認識することができる。すなわち、タッチセンサのＯＮかＯＦＦかの状態ではなくＯＦＦからＯＮへの状態遷移を入力判定に利用する。端末を把持している左手の指が接触しているタッチセンサの出力もＯＮとなっているが、それらは無視される。
【００４２】
この構成により加速度センサ１１３を用いたタップ検出の「何処をタップされたか認識できない」という問題点と、タッチセンサの「誤操作が起きるため、筐体を持つ際に手が触れるところにタッチセンサを設置できない」という問題の両方を解決することが出来る。図３の状態においても筐体を把持するためにタッチセンサに触れているが、誤操作は起きない。本発明のこの特徴により、例えば、筐体の右辺をタップすれば「右」操作、左辺をタップすれば「左」操作、の様な直感的な操作を実現することができる。
【００４３】
本発明のもう一つの特徴は、図３の時点で左手が筐体の上辺に触れているにも関わらず、図４のように右手が上辺の違う部分をタップした際に、上辺がタップしていることを認識できる点にある。図５に示すように、上辺に単一のタッチセンサしか配置されていない場合、把持のために筐体上辺が最初からタッチされていることになる。タッチセンサ出力はＯＮ／ＯＦＦの２状態しかないため、図６に示すように、もう一つの指でさらに上辺に触れても認識することができない（図５の場合とタッチセンサ出力の変化がない）。その結果、上辺をタップしたい場合、一旦筐体の上辺に触れている指を全て離してから上辺をタップしなければならなくなるため、筐体の操作に大きな制約ができてしまう。本発明ではこの問題が解決される。
【００４４】
このように、筐体の側部周囲全体に、各辺あたり複数のタッチセンサを配置して上記のような処理を行うことにより、ユーザは筐体の持ち方や持つ位置を気にすることなく、誤操作の無い直感的なタップ操作を行うことが可能となる。
【００４５】
図７により本実施の形態における携帯機器の基本的な入力処理の流れを説明する。
【００４６】
本実施の形態における入力操作は、携帯機器の電源投入後に定常的に有効とする場合、初期設定により選択的に有効にする場合、特定のアプリケーションについてのみ有効にする場合、等がありうる。図７の処理はいずれの場合であっても本実施の形態の入力操作が有効である場合の処理である。この処理は制御部１０１（図２）の制御下で行われる。
【００４７】
この処理では、ユーザの操作によるタップ入力があったかどうかを常時監視する（Ｓ１１）。加速度センサによる所定の閾値を越える加速度の変化が検出されたときタップ入力があったと判定することができる。「所定の閾値」はユーザにより可変設定できるようにしてもよい。タップ入力があったと判定されたとき、そのタップ入力と同時にＯＦＦからＯＮへの状態が遷移したタッチセンサが存在するか否かをチェックする（Ｓ１２）。存在しなければステップＳ１１へ戻る。存在すれば、ＯＦＦからＯＮへ状態遷移したタッチセンサが１箇所か複数箇所かを確認する（Ｓ１３）。
【００４８】
１箇所であれば、状態遷移したタッチセンサの箇所を確認する（Ｓ１４）。本実施の形態では筐体のどの側辺（上下左右）かにより、上操作、下操作、左操作、右操作の判定を行う（Ｓ１５〜Ｓ１８）。なお、上下左右の操作の方向は説明の便宜上である。実際には、携帯機器の持ち方により上下左右は変わりうるが、操作の方向は状態遷移したタッチセンサがどの辺に属するかによって決まる。
【００４９】
ステップＳ２３において、状態遷移したタッチセンサが複数箇所同時に発生したことが検出された場合、それらのタッチセンサは１辺に属しているかどうかを確認する（Ｓ１９）。１辺のみであれば、ステップＳ１４へ移行した上記の処理を行う。複数の辺にまたがっている場合には、タップと同時に状態遷移が発生したタッチセンサの辺（方向）を検出する（Ｓ２０）。これに基づき、予め定めた複数方向と処理との対応テーブル（後述）から、実行すべき処理を検索する（Ｓ２１）。対応テーブルに該当する入力・処理が記載されていなければ、当該操作を無視して、ステップＳ１１へ戻る。対応テーブルに該当する入力・処理が記載されていれば、その処理を実行する（Ｓ２３）。
【００５０】
このように、同時に２点がタップされた場合、同じ辺の２点であれば、１点のタップと同じ結果となる。よって、隣接するタッチセンサの境界部がタップされても問題は発生しない。違う辺の２点が同時にタップされたことが検出されるということは、ユーザが故意にしない限り、自然の状態では起こりにくい。したがって、このような操作は特定の入力として利用することができる。
【００５１】
図８に、複数同時タップ時の処理対応テーブルの例を示す。これは、携帯音楽プレーヤの用途を想定している。この図に示した内容はあくまで例示であり、本発明はこれに限定されるものではない。携帯音楽プレーヤの用途の他、テレビジョン装置等、他の任意のアプリケーションの操作にも利用することが可能である。
【００５２】
図９は、何らかの要因で携帯機器が落下したとき（例えば手でキャッチしたような場合）に誤操作の発生を防ぐ入力処理のフローチャートを示す。この図において図７に示したステップと同様のステップには同じ参照番号を付してある。すなわち、図９におけるステップＳ１１〜Ｓ２３は図７の処理と同じであり、重複した説明は省略する。
【００５３】
携帯機器が机に落ちた場合や、机上に投げられた場合にはタッチセンサが反応しないので、上記の処理でも誤操作は生じない。しかし、落下した携帯機器を手でキャッチした場合には誤操作の可能性がある。そこで、加速度センサが携帯機器の落下を検出できることを利用して、以下のような処理を追加する。
【００５４】
図９において追加されたステップはＳ３１〜Ｓ３３である。ステップＳ３１では加速度センサにて現在、携帯機器が落下状態にあるかどうかを監視する。落下状態にあるということは、加速度センサの３軸のいずれの加速度も０Ｇであることである。落下状態でなければステップＳ１１へ進み、図７の処理と同じ処理を実行する。
【００５５】
落下状態であることが検出されたら、落下終了まで待機する（Ｓ３２）。この待機中は入力を抑止する。すなわち、例えばタッチセンサの出力を無視する。落下終了は加速度センサの３軸の加速度の合成が１Ｇとなることで分かる。落下終了が検出された時点からさらに所定時間（例えば１秒程度）待って（Ｓ３３）、最初のステップＳ３１へ戻る。所定時間待つ理由はこの間にも入力を抑止して、誤動作防止を徹底するためである。
【００５６】
図１０は、本実施の形態における携帯機器の動作を表す状態遷移図である。携帯機器は、入力を受け付けるデフォルト（default）状態１１を基準として動作し、何か入力（センサ出力やイベント発生を含む）があるとデフォルト状態から別の状態に遷移し、その処理を終えればデフォルト状態に戻ってくるようになっている。この状態遷移図ではデフォルト状態１１以外の状態では、入力を受け付けられないものとしている。デフォルト状態以外の状態での処理は一瞬で行われるので、ユーザが気付くことは無いものと想定している。
【００５７】
デフォルト状態１１において、タップ検出が単独であったときにはデフォルト状態１１に戻る。デフォルト状態１１においてタッチセンサのＯＦＦからＯＮの遷移が検出されたとき、タッチ状態更新１２に移行し、現在のタッチセンサ出力ＯＮを記憶してデフォルト状態１１に戻る。タッチセンサ出力は、タッチセンサ毎に記憶しておき、タッチセンサの変化を検出するために利用する。タッチセンサのＯＮからＯＦＦへの遷移が検出されたとき、タッチ状態更新１２に移行し、現在のタッチセンサ出力ＯＦＦを記憶してデフォルト状態１１に戻る。
【００５８】
デフォルト状態１１において、タップと同時にタッチセンサのＯＦＦからＯＮへの遷移が１箇所検出されたとき、状態１３へ移行する。状態１３ではその遷移が生じたタッチセンサの属する辺に応じて、右、左、上、下の操作に対応する処理を実行する。ついで、状態１２へ移行してタッチセンサ出力ＯＮを記憶する。
【００５９】
デフォルト状態１１において、タップと同時にタッチセンサのＯＦＦからＯＮへの遷移が複数箇所検出されたとき、状態１４へ移行し、複数のタッチされた辺を検索する。一つの辺の異なる箇所が同時にタッチされたと判定された場合、上記の状態１３へ移行する。複数の辺が同時にタッチされたと判定された場合、状態１５へ移行する。状態１５では、上記対応テーブルを参照して、タッチされたパターンに処理が割り当てられているかどうかを検索する。割り振られていれば状態１６へ移行し、その処理を実行する。その後、状態１２へ移行する。割り振られていなければ、そのまま状態１２へ移行する。
【００６０】
タッチ操作に振動検出を組み合わせることにより、ユーザが端末を把持するときに不可避的に接触する筐体の周縁にタッチセンサを設けてもタッチ操作が誤検出されることが防止される。
【００６１】
タッチセンサが静電式のものであれば、振動とタッチの組み合わせで入力を有効とすることによって、携帯機器をそのまま鞄にいれても誤操作がおきない（鞄や物によるタッチを認識しない）。したがって、従来、入力操作を抑止するために必要であった操作ロック機能が不要となる。
【００６２】
筐体の周縁のタッチセンサにより操作を行う場合、表示画面のタッチパネルにタッチする操作に比べて、表示画面がタッチにより汚れることがない、タッチ操作時に表示が隠れない、等の利点がある。
【００６３】
以上、本発明の好適な実施の形態について説明したが、上記で言及した以外にも種々の変形、変更を行うことが可能である。
【００６４】
例えば、複数のタッチセンサは、筐体の上下左右の４辺に配置したが、少なくとも２辺に配置されるものであってもよい。
【００６５】
タッチセンサのセンサ出力の遷移はＯＦＦからＯＮへの遷移を利用したが、ＯＮからＯＦＦへの遷移を利用することも可能である。
【００６６】
本発明の振動を伴うタッチを有効な入力として取り扱う技術は表示画面上のタッチパネルに利用することも可能である。また、このような表示画面上のタッチパネルと、周縁のタッチセンサとを一組のタッチセンサとして、上記の処理を適用することも可能である。その場合、本発明は、タッチパネル搭載機のロックキー廃止・誤操作防止にも利用することができる。
【００６７】
電子機器は携帯機器に限るものではなく、据え置き型の機器であっても振動が検出できれば適用可能である。また、本発明は、ユーザの操作により得られた入力信号を外部へ出力するような入力装置に適用することも可能である。
【符号の説明】
【００６８】
１００…携帯機器、１０１…制御部、１０４…表示部、１０５…操作部、１０６…記憶部、１１３…加速度センサ、１１４ａ〜１１４ｌ…タッチセンサ、１１５…バス、１２０…表示画面
【図２】
0005410830.tif 000002
【図７】
0005410830.tif 000003
【図８】
0005410830.tif 000004
【図９】
0005410830.tif 000005
【図１０】
0005410830.tif 000006
【図１】
0005410830.tif 000007
【図３】
0005410830.tif 000008
【図４】
0005410830.tif 000009
【図５】
0005410830.tif 000010
【図６】
0005410830.tif 000011